(57)【要約】      （修正有）【課題】収納箱をより一層薄型化でき、かつ一人でも容易に短時間で雛壇を収納でき、又は飾ることができるようにする。【解決手段】本体部と蓋部とからなる収納箱に収納可能な雛壇において、複数の段差部を有する一対の棚板保持部材が前記本体部に対して互いに内側に回動して倒れ、あるいは互いに外側に回動して起立できるように本体部に取り付けられる。一対の棚板保持部材の段差部には互いに分離されている棚板が各々載置される。これら棚板の上面には雛人形が取り付けられ、棚板の裏面における長手方向の両端部には横ずれ防止部材が固定されており、一対の棚板保持部材を起立させるとき、棚板は段差部に保持される。【選択図】図５
0003116013.tif 000002
【実用新案登録請求の範囲】
【請求項１】
本体部と蓋部とからなる収納箱に収納可能な雛壇において、
複数の段差部を有する一対の棚板保持部材が前記本体部に対して互いに内側に回動して倒れ、あるいは互いに外側に回動して起立できるように前記本体部に取り付けられ、
前記一対の棚板保持部材の前記段差部には互いに分離されている棚板が各々載置され、これら棚板の上面には雛人形が取り付けられ、前記棚板の長手方向の両端部にはその裏面から突出する横ずれ防止部材が固定されており、
前記一対の棚板保持部材を起立させるとき、前記棚板が前記段差部に保持されることを特徴とする雛壇。
【請求項２】
請求項１において、
前記棚板保持部材の各段差部に載置される前記棚板は、段差部の高さと同じ高さ又はそれ以上の高さとなる厚みを有することを特徴とする雛壇。
【請求項３】
請求項１又は請求項２において、
再前段の棚板は、前記本体部の側壁の上面から突出するように前記本体部の底板に取り付けられていることを特徴とする雛壇。
【請求項４】
請求項１ないし請求項３のいずれかにおいて、
前記一対の棚板保持部材が倒れているときには、前記複数の棚板の上面は同一を構成することを特徴とする雛壇。
【請求項５】
請求項１ないし請求項４のいずれかにおいて、
前記一対の棚板保持部材の最後部の側面に把持部材が設けられていることを特徴とする雛壇。
【請求項６】
請求項１ないし請求項５のいずれかにおいて、
前記棚板の上面、両側面及び前面は赤色であることを特徴とする雛壇。
【請求項７】
請求項１ないし請求項６のいずれかにおいて、
前記棚板保持部材の前記段差部それぞれの幅は、前記対応する棚板の幅と同等、あるいはそれよりも幾分広いことを特徴とする雛壇。
【考案の詳細な説明】
【技術分野】
【０００１】
本考案は、雛人形や調度を容易に飾ることができると共に、収納箱に雛人形や調度を簡単に収納することができる雛壇に関する。
【背景技術】
【０００２】
古くから雛壇は節句に用いられているが、近年になって簡便な小型の雛人形及び雛壇も一部で人気を博し、商品化もされている。特に、雛壇に雛人形を飾るとき、及び仕舞うときの手間を省き、かつ収納スペースを節約する提案もなされている（例えば、特許文献１参照）。特許文献１に開示されている雛壇は、本体部と蓋部とからなる収納箱の蓋を開けた状態で、本体部をベースとして雛壇を簡単に組み立てる構造のものである。この段飾りについて簡単に説明すると、複数の雛壇が一体になっていて、最下段の雛壇が蝶番で本体部に取り付けられており、最前列の雛壇を中心に回動できるようになっている。収納箱に仕舞われている状態では複数の雛壇が斜めになっており、飾るときには雛壇保持部材を起立させ、その雛壇保持部材で前記複数の雛壇を支持することによって、雛壇が水平になるように保持される。
【特許文献１】実用新案登録第３０３６５４４号公報
【考案の開示】
【考案が解決しようとする課題】
【０００３】
特許文献１で開示されている雛壇は、収納箱の本体部をベースにして組み立てるので、組み立ての手間が省け、また仕舞うときも同様に比較的簡単であり、雛壇の小型化も可能であるが、複数の雛壇が一体化されているために、雛壇を収納箱に収納した状態では、雛壇の各棚板が斜めになる。したがって、雛人形もすべて斜めの状態で収納されることになる。このような雛壇にあっては、雛人形を飾る棚板の幅の割には雛人形の背が低い。したがって、雛壇の各棚板がある角度、例えばほぼ４５度で斜めになると、収納箱の薄型化が難しくなり、十分に薄型化することができない。また、雛壇が収納箱に仕舞われている期間は飾られている期間よりも圧倒的に長いので、斜めで収納されている雛人形がずれたり、外れることもあり、好ましくない。更にまた、組み立て時に、一つになっている雛壇を斜めに保持する操作と二つの雛壇保持部材を両側へ起立させる操作との三つの操作を同時に行わなければならないので、一人で組み立て作業が容易に、つまりワンタッチでできるとは言えない。
【０００４】
したがって、本考案ではこれらの問題点を解決し、一対の棚板保持部材を収納箱の本体部に倒すだけで、好ましくは全ての棚板がほぼ同一平面にあるように平面的に棚板を収納でき、また、飾るときには一対の棚板保持部材を起立させるだけで棚板が外れることなく棚板保持部材の各段差部に保持することができるので、収納箱をより一層薄型化でき、しかも雛人形はほぼ真っ直ぐに収納されるので、余計な力がかからず、雛人形を良好に保存することができる。また、一対の棚板保持部材を倒したり、起立させるだけで組み立てることができるので、一人だけで手間をかけずに、短時間かつ容易に、つまりワンタッチで雛壇を収納箱内に仕舞い、または飾ることができる。
【課題を解決するための手段】
【０００５】
前述のような問題を解決するため、第１の考案は、本体部と蓋部とからなる収納箱に収納可能な雛壇において、複数の段差部を有する一対の棚板保持部材が前記本体部に対して互いに内側に回動して倒れ、あるいは互いに外側に回動して起立できるように前記本体部に取り付けられ、前記一対の棚板保持部材の前記段差部には互いに分離されている棚板が各々載置され、これら棚板の上面には雛人形が取り付けられ、前記棚板の長手方向の両端部にはその裏面から突出する横ずれ防止部材が固定されており、前記一対の棚板保持部材を起立させるとき、前記棚板が前記段差部に保持されることを特徴とする雛壇を提供する。
【０００６】
前述のような問題を解決するため、第２の考案は、前記第１の考案において、前記棚板保持部材の各段差部に載置される前記棚板は、段差部の高さと同じ高さ又はそれ以上の高さとなる厚みを有することを特徴とする雛壇を提供する。
【０００７】
第３の考案は、前記第１の考案又は前記第２の考案において、再前段の棚板は、前記本体部の側壁の上面から突出するように前記本体部の底板に取り付けられていることを特徴とする雛壇を提供する。
【０００８】
第４の考案は、前記第１の考案ないし前記第３の考案のいずれかにおいて、前記一対の棚板保持部材が倒れているときには、前記複数の棚板の上面は同一面を構成することを特徴とする雛壇を提供する。
【０００９】
第５の考案は、前記第１の考案ないし前記第４の考案のいずれかにおいて、前記一対の棚板保持部材の最後部の側面に把持部材が設けられていることを特徴とする雛壇を提供する。
【００１０】
第６の考案は、前記第１の考案ないし前記第５の考案いずれかにおいて、前記棚板の上面、両側面及び前面は赤色であることを特徴とする雛壇を提供する。
【００１１】
第７の考案は、前記第１の考案ないし前記第６の考案のいずれかにおいて、前記棚板保持部材の前記段差部それぞれの幅は、前記対応する棚板の幅と同等、あるいはそれよりも幾分広いことを特徴とする雛壇を提供する。
【考案の効果】
【００１２】
前記第１の考案によれば、収納箱をより一層薄型化できると共に、雛人形に余計な力を与えずに雛人形を良好に保存することができる。また、一人だけでもワンタッチで容易に雛壇を収納箱に収納したり、あるいは飾ることができる。
【００１３】
前記第２の考案によれば、棚板が棚板保持部材の段差部の高さと同等又はそれ以上の厚みを有するので、段差間に隙間ができず、見栄えが良好である。
【００１４】
前記第３の考案によれば、１段差分だけ棚板保持部材を短くできると共に、その分だけ棚板保持部材を起立させるときの力、又は倒すときの力を軽減することができる。
【００１５】
第４の考案によれば、雛壇を収納箱に収納した状態ではすべての棚板がほぼ同一平面を構成するので、収納箱の薄型化が可能である。
【００１６】
第５の考案によれば、棚板保持部材の把持部を持って棚板保持部材を容易に、かつ確実に起立させることができる。
【００１７】
第６の考案によれば、雛人形の下に敷く緋毛氈を必要とすることなく、同様の見た目を得ることができる。
【００１８】
第７の考案によれば、前記第４の考案と同様に雛壇を収納箱に収納した状態ではすべての棚板が棚板保持部材上で同一平面を構成するので、収納箱の薄型化が可能である。
【考案を実施するための最良の形態】
【００１９】
[実施形態１]
図１ないし図９によって、本考案の実施形態１に係る雛壇について説明する。図１はこの実施形態１に係る５段の雛壇を収納するの収納箱を示し、図２は棚板保持部材を倒した状態を示す。図３は実施形態１に係る５段の雛壇の一部を示す斜視図であり、図４は一対の棚板保持部材を起立させた状態を斜め正面から見た図である。図５は一対の棚板保持部材を起立させた状態を斜め後方から見た斜視図であり、図６は棚板と棚板保持部材と横ずれ防止部材との寸法関係を説明するための図である。図７は棚板保持部材を倒した状態で、本体部２の後ろ側の側壁を除去した部分断面図であり、図８、図９は本体部２の側壁を除去した部分断面図であって、図８は棚板保持部材が倒された状態を示す図、図９は棚板保持部材が起立した状態を示す図である。そして、これら図面において、同じ記号は互いに同じ部材を示すものとする。
【００２０】
先ず、図１ないし図５によって実施形態１に係る雛壇の概略を説明する。図１に示すように、雛壇は、直方体状の本体部２と蓋部３とからなり、雛人形は本体部２に設けられた雛壇に飾られ、蓋部３は雛壇を仕舞う時に蓋をするものである。本体部２は背の低い枠状の側壁２Ａと底板２Ｂとからなる。図２に示すように、蓋部３を外すと、一対の棚板保持部材４、５が本体部２の底板２Ｂの内面上に倒された状態にある。実際には、後述するように、４枚の棚板が棚板保持部材４、５の上においてほぼ同一の平面を構成するのであるが、図示の都合上で図２には示していない。棚板保持部材４、５は四つの段差部４Ａ〜４Ｄ、５Ａ〜５Ｄを有し、倒されている状態の棚板保持部材４、５の上面には把持部材６、７となる金具などが取り付けられている。棚板保持部材４、５の前側には、若干の間隙をおいて最下段の雛壇となる棚板８が板材９を介して本体部２の底板２Ｂの内面に固定されている。棚板８の上には雛人形が取り付けられている。
【００２１】
次に、把持部材６、７を指で掴んで棚板保持部材４、５を起立させると、棚板保持部材４、５は図３に示すように互いに並行になるように向き合う。この際、実際には図２で示した棚板保持部材４、５の四つの段差部４Ａ、４Ｂ、４Ｃ、４Ｄ、及び段差部５Ａ、５Ｂ、５Ｃ、５Ｄに、図４に示すような雛人形が固定されている棚板１０、１１、１２、１３がそれぞれ載置された状態で、棚板保持部材４、５は起立する。図３に示すように、棚板保持部材４は蝶番１４によって本体部２の底板２Ｂの内面に固定され、図５に示すように棚板保持部材５も蝶番１５によって本体部２の底板２Ｂの内面に固定されているので、底板２Ｂをベースとして棚板保持部材４、５を極めて容易に起立させ、あるいは本体部２の底板２Ｂに倒すことができる。
【００２２】
図４、図５では棚板１０〜１３の一部分を示しているだけであるが、雛人形が飾られている棚板１０〜１３の上面とは逆側の下面の両端部には、横ずれ防止部材１６、１７が固定されている。横ずれ防止部材１６、１７は、棚板保持部材４、５を起立させるときに、棚板１０〜１３の下面と段差部４Ａ〜４Ｄ、段差部５Ａ〜５Ｄとの接触摩擦の違いによって、棚板１０〜１３がどちらか横方向にずれるのを防ぎ、また、雛壇が飾られているときに、棚板１０〜１３が横方向の力を受けても横ずれして棚板が脱落するのを防ぐ。したがって、本考案の雛壇では、収納箱１の蓋部３を開け、把持部材６、７を指で掴んで棚板保持部材４、５を起立させるだけで、飾り付けが完了し、また、棚板保持部材４、５を倒して蓋部３を閉めるだけで雛壇を仕舞うことができる。したがって、一人だけでごく簡単に、ワンタッチで雛壇を飾ったり、仕舞うことができる。しかも、雛壇を仕舞った状態では雛人形が斜めになっていないので、雛人形に無理な力がかかることも無い。
【００２３】
次に、本考案に係る実施形態１の雛壇について更に詳しく説明する。図１に示すように、収納箱１は比較的浅い本体部２と雛人形の高さに依存する深さを有する蓋部３とからなる直方体状のものであり、木製からなるのが好ましいが、プラスチック材料など他の材料からなっても良い。本体部２と蓋部３とは図示しない前後の留め金によって閉じた状態が保持されるようになっている。また、図示しないが、蓋部３の内面にはお祝いの言葉、あるいは子供が健やかに成長する願いの言葉などが記されていてもよい。蓋部３を外すと、図２に示すように、一対の棚板保持部材４、５が本体部２の底板２Ｂの内面上に倒されている。棚板保持部材４、５は四つの段差部４Ａ、４Ｂ、４Ｃ、４Ｄ、及び段差部５Ａ、５Ｂ、５Ｃ、５Ｄを有し、図２では説明の都合上で図示していないが、実際には倒れている棚板保持部材４、５上には四つの段差部４Ａ〜４Ｄ、段差部５Ａ〜５Ｄそれぞれに合致するように、４枚の棚板が重ならないように載置された状態で棚板保持部材４、５が起立させられる。
【００２４】
倒れている棚板保持部材４、５の上面には、図２に示す最上段の棚板１３の邪魔にならない位置に把持部材６、７となる金具などが固定されている。把持部材６、７は、これらを指でつまんで棚板保持部材４、５を起立させるものであるので、必ずしも必要ではなく、また、木製の適当な形状のつまみを接着剤で棚板保持部材４、５に固定したものでもよい。棚板保持部材４、５がプラスチック材料で成型されたものからなる場合には、把持部材６、７は棚板保持部材４、５と一体成型されていてもよい。棚板保持部材４、５の前側には、若干の間隙をおいて最前列の雛壇となる棚板８が板材９を介して本体部２の底板２Ｂの内面に接着剤などによって固定されている。棚板８は本体部２の底板２Ｂの内面に接着剤などで固定された板材９上に載置されていてもよい。また、棚板８は、後述する棚板よりも厚い棚板からなり、直接本体部２の底板２Ｂ上に直接固定又は載置されていてもよい。ただし、この場合にも、棚板８の上面が本体部２の側壁２Ａの上面よりも上方にあるのが好ましい。板材９は、この雛壇を仕舞った状態で棚板８の高さが他の棚板とほぼ等しくなるために、棚板保持部材４、５の厚みとほぼ同等な厚みを有するのが好ましい。棚板８の上には所定の雛人形が取り付けられている。図３、図４に示すように、棚板８は最下段（最前列）の雛壇となるものであるので、棚板８の上面が本体部２の側壁２Ａの上面と少なくとも同等又は上方になり、その下面が本体部２の側壁２Ａの上面よりも幾分下側に位置するように、本体部２の側壁２Ａの高さが決められていることが雛壇としては望ましい。
【００２５】
次に、把持部材６、７を指で掴んで棚板保持部材４、５を起立させると、棚板保持部材４、５は図３に示すように互いに並行になるように向き合う。この際、図４に示すように、棚板保持部材４、５の四つの段差部４Ａ、４Ｂ、４Ｃ、４Ｄ、及び段差部５Ａ、５Ｂ、５Ｃ、５Ｄに、雛人形が固定されている棚板１０、１１、１２、１３がそれぞれ載置された状態で、棚板保持部材４、５は起立する。図３に示すように、棚板保持部材４は蝶番１４によって本体部２の底板２Ｂの内面に固定され、図５に示すように棚板保持部材５も蝶番１５によって本体部２の底板２Ｂの内面に固定されているので、棚板保持部材４、５を容易に起立、あるいは本体部２の底板２Ｂに倒すことができる。なお、図示しないが、必要があれば、起立状態にある棚板保持部材４、５に外側から内方向の力が加えられても棚板保持部材４、５が倒れないように、棚板保持部材４と５との間にそれらの間隔にほぼ等しい長さの棒状部材を挟んでおいてもよい。
【００２６】
段差部４Ａ、４Ｂ、４Ｃ、４Ｄ、及び段差部５Ａ、５Ｂ、５Ｃ、５Ｄと棚板１０〜１３との好ましい寸法関係については後述するとして、棚板８及び棚板１０〜１３の幅（長手方向と直角の方向の寸法）は全てほぼ等しいのが好ましいが、必ずしも等しくなくてもよい。棚板８及び棚板１０〜１３の厚みについても同様である。棚板８及び棚板１０〜１３の幅、厚みが異なる場合には、当然にそれらの幅、厚みに適合するように、棚板保持部材４、５の四つの段差部４Ａ〜４Ｄ、段差部５Ａ〜５Ｄの長さ、高さが別々に決められるのが好ましい。したがって、棚板８及び棚板１０〜１３の厚みによって雛壇の段差の高さが左右され、あるいは段差が所望の高さになるように棚板８及び棚板１０〜１３の厚みが決められる。また、少なくとも棚板８及び棚板１０〜１３の上面、両側面、前面、及び最後段の棚板１３の後面は、緋毛氈と同様な緋色又はこれに近い赤色になっていることが雛壇として見栄えがよく、好ましい。これら棚板が木製からなる場合には適当な緋色を呈する赤色の塗料を塗布することによって、また、プラスチック材料からなる場合には適当な顔料を含有することによって、所望の緋色の棚板が得られる。なお、棚板８及び棚板１０〜１３の長さ（長手方向の寸法）は互いにほぼ等しくなっているのが好ましい。
【００２７】
雛人形が飾られている棚板１０〜１３の上面とは逆側の下面の両端部には、横ずれ防止部材１６、１７が固定されている。図５は雛壇を後ろ側から見た図であり、最上段、つまり最後段の棚板１３だけを示しているが、図８、図９に示すように、他の棚板１０〜１２も同じであり、棚板１０〜１２の下面の両端に接着剤などによって横ずれ防止部材１６、１７が固定されている。なお、図７〜図９では雛人形を図示するのを省略している。図７及び図８は、図２に示したように、双方の棚板保持部材４、５が倒された状態、つまり畳まれた状態にあるときの棚板保持部材４、５と横ずれ防止部材１６、１７との関係を示している。横ずれ防止部材１６、１７は、固定される棚板１０〜１３の幅と同等、あるいはそれよりも短い木製などの棒状突起物であり、棚板１０〜１３の厚み以下の適当な厚みを有する。棚板１０〜１３がプラスチック材料からなる場合には、棚板１０〜１３は棚板１０〜１３と成型時に一体的に成型された適当な形状の突起物であってもよい。
【００２８】
これら部材の寸法については、図６に示すように、棚板８及び棚板１０〜１３の長さはＬ１であり、横ずれ防止部材１６、１７の内側面間の距離Ｌ２は、棚板保持部材４、５の外側面間の距離Ｌ３よりも幾分大きくなっている。したがって、横ずれ防止部材１６、１７は、棚板保持部材４、５を起立させるときに、棚板１０〜１３の下面と段差部４Ａ〜４Ｄ、５Ａ〜５Ｄとの接触摩擦による棚板１０〜１３の横方向のずれを確実に抑制し、極端な場合には横ずれ防止部材１６、１７が無いと棚板が脱落してしまうことがあるが、これを防ぐ働きを確実に行う。また、それぞれの横ずれ防止部材１６、１７は雛壇が飾られているときに、棚板１０〜１３が横方向の力を受けても横ずれして棚板が脱落するのを防ぐ。さらにまた、図７に示すように横ずれ防止部材１６、１７は、棚板保持部材４、５が蝶番１４、１５を中心に９０度倒されて本体部２の底板２Ｂに当接している状態でも、棚板１０〜１３を安定に保持する働きを行う。
【００２９】
図８に示すように、棚板保持部材４、５を倒した状態では、棚板８及び棚板１０〜１３の上面８Ａ、１０Ａ、１１Ａ、１２Ａ、１３Ａはほぼ同一の高さにあることが好ましい。棚板保持部材４、５は互いにほぼ等しい厚みを有し、板材９は棚板保持部材４、５とほぼ等しい厚みを有するのが好ましい。また、棚板８及び棚板１０〜１３は互いにほぼ等しい厚みを有するのが好ましい。そして、図３〜図５に示したように棚板保持部材４、５を起立させた状態では、図９に示すように、棚板保持部材５の第１の段差部５Ａの上面は棚板８の上面８Ａと同一面、あるいは幾分低いようにする。つまり、段差部５Ａの高さは板材９と棚板８との厚みの和と同じか、あるいは小さいのが、棚板８と棚板１０との間隙が目立たないために好ましい。第２の段差部５Ｂの高さは、前段の棚板１０の厚みとほぼ同等、あるいはそれよりも小さいのが好ましい。つまり、段差部の高さは、直ぐ前段の段差部に載置される棚板の厚みとほぼ同等、又は小さく設定されるのが好ましい。
【００３０】
このようにすることによって、棚板１０と棚板１１との間隙が目立たないために好ましい。段差部５Ｃの高さと棚板１１の厚みとの関係、段差部５Ｄとの高さと棚板１２の厚みとの関係も同様である。雛壇の前後方向における各段差部の長さと棚板の幅については、段差部５Ａの幅は段差部５Ａに載置される棚板１０の幅と同等か、あるいは若干大きいのが好ましく、段差部５Ｂと棚板１１、段差部５Ｃと棚板１２との関係も同様である。段差部５Ｄの幅は、把持部材７を取り付ける関係で他の段差部よりも大きくなっているが、把持部材７を取り付けなければ、他の段差部５Ａ〜５Ｃと同じ幅であっても良い。ここで、段差部の高さが前段の棚板の厚みよりも小さければ、棚板保持部材４、５を倒すとき、あるいは起立させるときに、隣り合う棚板間に間隙が実質的に存在しないので、見栄えの良い雛壇とすることができる。なお、段差部の幅と棚板の幅については、棚板保持部材４についても全く同様であるので、詳細な説明は省略する。
【００３１】
この雛壇を飾るときには、図７において、両手の指で把持部材６と７とをそれぞれ矢印ａ１、ａ２の方向に引き上げることによって、棚板保持部材４、５の段差部の内側の端部ｂ１、ｂ２が対応する棚板の下面を滑りながら、棚板保持部材４、５は起立する。このとき、棚板の下面とそれぞれの段差部の端部ｂ１、ｂ２との間に接触摩擦が生じ、それら摩擦力はそれぞれ異なるので、棚板は摩擦力の大きい方に過渡的に横ずれするが、棚板保持部材４、５が起立した状態では、図６に示した横ずれ防止部材１６、１７の内側面間の距離Ｌ２と、棚板保持部材４、５の外側面間の距離Ｌ３との差だけ横ずれするだけであり、距離Ｌ２と距離Ｌ３とをほぼ等しくすることによって、実質的に横ずれは生じない。
【００３２】
[実施形態２]
次に、図１０〜図１２によって本考案に係る実施形態２の雛壇について説明する。図１０〜図１２において、図１ないし図９において用いた記号と同一の記号は同じ部材を示すものとする。この実施形態２が実施形態１の雛壇と異なる主な点は、棚板保持部材４、５が板状のものではなく、枠体が中空の棒からなる点と、棚板保持部材４、５の最下段の段差部に最下段の雛壇となる棚板が載置されている点などである。したがって、主にこれら異なる点について説明を行う。
【００３３】
図１０は、実施形態１についての図９に対応する図面であり、棚板保持部材５だけを示しているが、実施形態１と同様に棚板保持部材５と対となる棚板保持部材４も備える。棚板保持部材４は棚板保持部材５と同一の構造であるので図示を省略し、説明も省略する。棚板保持部材５は金属パイプ、例えば軽量のアルミニウムパイプを第２列以降の段差部５Ａ、５Ｂ、５Ｃ、５Ｄを有するように曲げたプラスチック製、金属材料製等の枠体からなる。棚板保持部材５の最前列には、実施形態１における棚板８が載置される。この部分は実施形態１と同様であるので説明を省略する。段差部５Ａ、５Ｂ、５Ｃ、５Ｄには、実施形態１と同様に棚板１０、１１、１２、１３がそれぞれ載置される。各段差部５Ａ〜５Ｄの高さと対応する棚板１０〜１３の厚みは実施形態１と同様であるので、説明を省略する。また、各段差部５Ａ〜５Ｄの幅とこれらに対応する棚板１０〜１３の幅の関係は実施形態１と同様であるので、説明を省略する。図１０において、５Ｋは棚板保持部材４、５を支持するためのヒンジ部材を示す。実施形態２においては、棚板保持部材４、５を支持する部材として、蝶番の代わりに、ヒンジ部材２０が用いられる。
【００３４】
図１１は、実施形態２の棚板保持部材４、５を倒した状態を示す図である。図１１の棚板保持部材５の段差部５Ａ、５Ｂ、５Ｃ、５Ｄの形状は実施形態１同じである。図示しないが、棚板保持部材４の段差部４Ａ、４Ｂ、４Ｃ、４Ｄの形状も実施形態１同じであるので、詳細な説明は省略する。
【００３５】
図１２は、実施形態２の雛壇のヒンジ部材を示す図である。図１０（Ａ）はヒンジ部材２０の断面図、図１０（Ｂ）はヒンジ部材２０の斜視図を示す図である。図１２（Ａ）（Ｂ）において、棚板保持部材５の下部水平部分５Ｋは、簡潔な構造のヒンジ部材２０の右側部分２０Ａと左側部分２０Ｂとによって挟まれる。ネジ部材２１、２２でヒンジ部材２０の右側部分２０Ａと左側部分２０Ｂとを、本体部２の底板２Ｂに固定することによって、棚板保持部材５は、ヒンジ部材２０の右側部分２０Ａと左側部分２０Ｂとで締め付けられる。したがって、棚板保持部材５の下部水平部分５Ｋの外面とヒンジ部材２０の右側部分２０Ａの内面と左側部分２０Ｂの内面との間にはあるトルクが発生し、棚板保持部材５を起立させるときにはある力が必要であるが、起立すると、その状態が保持される。したがって、雛壇が飾られている状態で棚板保持部材５に前記トルクよりも小さな力が加わっても、棚板保持部材５が倒れることはなく、雛壇が飾られている状態を安定に保持することができる。なお、図示のヒンジ部材２０は一例であり、既存の種々のヒンジを用いることができる。この実施形態２における棚板保持部材５でも、棚板保持部材５を指でつまんで起立させ、又は倒すことができるので、実施形態１における把持部材６、７は不要である。
【００３６】
以上の実施形態では、雛人形が固定されている棚板が５段の雛壇について説明したが、それ以外の段数でも本考案をそのまま適用でき、同じ効果を得ることができる。また、必要に応じて最後段の棚板の厚みを他の棚板よりも厚くしてもよい。この場合には、棚板ごとの雛人形の高さにもよるが、雛人形の高さが皆ほぼ同じであれば、収納箱の高さは最後段の棚板が他の棚板よりも厚い分だけ高くなる。また、前記実施形態では横ずれ防止部材１６、１７を棚板の裏面に固定したが、横ずれ防止部材１６、１７の長手方向の両端面に固定しも勿論よい。
【図面の簡単な説明】
【００３７】
【図１】本考案に係る実施形態１の雛壇の収納箱を示す。
【図２】本考案に係る実施形態１の棚板保持部材を倒した状態を示す図である。
【図３】本考案に係る実施形態１の雛壇の棚板保持部材を起立させた状態を示す図である。
【図４】本考案に係る実施形態１の雛壇を飾った状態を説明するための部分図である。
【図５】本考案に係る実施形態１の雛壇を後斜めから見た斜視図である。
【図６】本考案に係る実施形態１における雛壇の棚板などの寸法関係を説明するための図である。
【図７】本考案に係る実施形態１の雛壇を収納した状態を後ろ側から見た部分端面図である。
【図８】本考案に係る実施形態１の雛壇を収納した状態を棚板保持部材５側から見た部分断面図である。
【図９】本考案に係る実施形態１の雛壇の棚板保持部材を起立させた状態を棚板保持部材５側から見た部分端面図である。
【図１０】本考案に係る実施形態２の雛壇の棚板保持部材を起立させた状態を棚板保持部材５側から見た部分端面図である。
【図１１】本考案に係る実施形態２の棚板保持部材を倒した状態を示す図である。
【図１２】本考案に係る実施形態２の雛壇のヒンジ部材を示す図である。
【符号の説明】
【００３８】
１・・・収納箱
２・・・本体部
２Ａ・・・本体部２の側壁部
２Ｂ・・・本体部２の底板
３・・・蓋部
４、５・・・棚板保持部材
４Ａ〜４Ｄ・・・棚板保持部材４の段差部
５Ａ〜５Ｄ・・・棚板保持部材５の段差部
６、７・・・把持部材
８・・・棚板
８Ａ・・・棚板８の上面
９・・・板材
１０〜１３・・・棚板
１０Ａ〜１３Ａ・・・棚板１０〜１３の上面
１４、１５・・・蝶番
１６、１７・・・横ずれ防止部材
２０・・・ヒンジ部材
２１、２２・・・ネジ部材
【図１】
0003116013.tif 000003
【図２】
0003116013.tif 000004
【図３】
0003116013.tif 000005
【図４】
0003116013.tif 000006
【図５】
0003116013.tif 000007
【図６】
0003116013.tif 000008
【図７】
0003116013.tif 000009
【図８】
0003116013.tif 000010
【図９】
0003116013.tif 000011
【図１０】
0003116013.tif 000012
【図１１】
0003116013.tif 000013
【図１２】
0003116013.tif 000014